【手続補正書】
【提出日】平成30年11月14日(2018.11.14)
【手続補正１】
【補正対象書類名】特許請求の範囲
【補正対象項目名】全文
【補正方法】変更
【補正の内容】
【特許請求の範囲】
【請求項１】
第１のネットワークホストにおいて、第２のネットワークホストから第１のネットワークを通じて伝送された第１の完全性メッセージを受信することと、
前記第１のネットワークホストにおいて、前記第１のネットワークホストの第１のネットワークインタフェースと、前記第２のネットワークホストの第２のネットワークインタフェースとの間の前記第１のネットワークを通じた第１の通信経路にわたるネットワーク障害を、前記第１のネットワークホストの前記第１のネットワークインタフェースが、前記第２のネットワークホストの前記第１のネットワークインタフェースから予期された前記第１の完全性メッセージの１つを受信できない場合に、検出することと、
前記検出されたネットワーク障害に応答して、前記第１のネットワークホストの前記第１のネットワークインタフェースと前記第２のネットワークホストの前記第１のネットワークインタフェースとの間に第２の通信経路を自動的に確立することと
を含む、方法。
【請求項２】
前記第２の通信経路が、前記第１のネットワークホストの前記第２のネットワークインタフェースおよび前記第２のネットワークホストの前記第２のネットワークインタフェースを経由した第２のネットワークを含む、請求項１に記載の方法。
【請求項３】
第１のネットワークホストにおいて、前記第２のネットワークホストから第２のネットワークを通じて伝送された第２の完全性メッセージを受信することをさらに含む、請求項１または請求項２に記載の方法。
【請求項４】
前記第１の完全性メッセージおよび前記第２の完全性メッセージの各々が、前記第２のネットワークホストならびに前記第２のネットワークホストの前記第１および第２のネットワークインタフェースを識別するホスト情報を含む、請求項３に記載の方法。
【請求項５】
前記第１の完全性メッセージおよび前記第２の完全性メッセージの各々が、前記第２のネットワークホストと前記第１のネットワークホストとの間で判断された、対応する第１および第２のネットワークインタフェースを経由した、前記第１のネットワークおよび前記第２のネットワークの各々を通じた通信状態を示す完全性情報を含む、請求項３に記載の方法。
【請求項６】
第３の完全性メッセージを前記第１のネットワークホストから前記第１のネットワークを通じて伝送することと、
第４の完全性メッセージを前記第１のネットワークホストから前記第２のネットワークを通じて伝送することであって、前記第３の完全性メッセージおよび前記第４の完全性メッセージの両方が、前記検出されたネットワーク障害に応答して、前記第１のネットワークホストの前記第１のネットワークインタフェースと、前記第２のネットワークホストの前記第１のネットワークインタフェースとの間の前記第１のネットワークを通じたネットワーク障害を示すことを、さらに含む、請求項３に記載の方法。
【請求項７】
前記検出されたネットワーク障害に応答して、事象、アラート、またはアラームの少なくとも１つを生成することと、
前記事象、前記アラート、または前記アラームの前記少なくとも１つをログに記録することと
をさらに含む、請求項１〜請求項６の何れか１項に記載の方法。
【請求項８】
命令を含む有形的コンピュータ可読記憶媒体であって、前記命令が、実行される際に、第１のネットワークホストに少なくとも：
第２のネットワークホストから第１のネットワークを通じて伝送された第１の完全性メッセージを受信することと、
前記第１のネットワークホストの第１のネットワークインタフェースと、第２のネットワークホストの第１のネットワークインタフェースとの間の前記第１のネットワークを通じた第１の通信経路にわたるネットワーク障害を、前記第１のネットワークホストの前記第１のネットワークインタフェースが、前記第２のネットワークホストの前記第１のネットワークインタフェースから予期された前記第１の完全性メッセージの１つを受信できない場合に、検出することと、
前記検出されたネットワーク障害に応答して、前記第１のネットワークホストの前記第１のネットワークインタフェースと前記第２のネットワークホストの前記第１のネットワークインタフェースとの間に第２の通信経路を自動的に確立することと
を実行させる、命令を含む有形的コンピュータ可読記憶媒体。
【請求項９】
前記第２の通信経路が、前記第１のネットワークホストの第２のネットワークインタフェースおよび前記第２のネットワークホストの前記第２のネットワークインタフェースを経由した第２のネットワークを含む、請求項８に記載の有形的コンピュータ可読記憶媒体。
【請求項１０】
前記第２の通信経路が、前記ネットワーク障害が生じてから５秒未満で確立される、請求項８または請求項９に記載の有形的コンピュータ可読記憶媒体。
【請求項１１】
前記命令が、実行される際に、前記第１のネットワークホストにさらに、
前記検出されたネットワーク障害に応答して、事象、アラート、またはアラームの少なくとも１つを生成することと、
前記事象、前記アラート、または前記アラームの前記少なくとも１つをログに記録することと
を実行させる、請求項８〜請求項１０の何れか１項に記載の有形的コンピュータ可読記憶媒体。
【請求項１２】
プロセッサおよびメモリを含む第１のネットワークホストを備えたシステムであって、前記プロセッサが、
第２のネットワークホストから第１のネットワークを通じて伝送された第１の完全性メッセージを受信することと、
前記第１のネットワークホストの第１のネットワークインタフェースと、第２のネットワークホストの第１のネットワークインタフェースとの間の前記第１のネットワークを経由した第１の通信経路にわたるネットワーク障害を、前記第１のネットワークホストの前記第１のネットワークインタフェースが、前記第２のネットワークホストの前記第１のネットワークインタフェースから予期された前記第１の完全性メッセージの１つを受信できない場合に、検出することと、
前記検出されたネットワーク障害に応答して、前記第１のネットワークホストの前記第１のネットワークインタフェースと前記第２のネットワークホストの前記第１のネットワークインタフェースとの間に第２の通信経路を自動的に確立することと
を行うために、前記メモリに格納された命令を実行する、システム。
【請求項１３】
前記第２の通信経路が、前記第１のネットワークホストの第２のネットワークインタフェースおよび前記第２のネットワークホストの第２のネットワークインタフェースを経由した第２のネットワークを含む、請求項１２に記載のシステム。
【請求項１４】
前記第２の通信経路が、前記ネットワーク障害が生じてから５秒未満で確立される、請求項１２または請求項１３に記載のシステム。
【請求項１５】
前記命令が、実行される際に、前記第１のネットワークホストにさらに、前記第２のネットワークホストから第２のネットワークを通じて伝送された第２の完全性メッセージを受信させる、請求項１２〜請求項１４の何れか１項に記載のシステム。
【請求項１６】
前記命令が、実行される際に、前記第１のネットワークホストにさらに、
前記検出されたネットワーク障害に応答して、事象、アラート、またはアラームの少なくとも１つを生成することと、
前記事象、前記アラート、または前記アラームの前記少なくとも１つをログに記録することと
を実行させる、請求項１２〜請求項１５の何れか１項に記載のシステム。